(57)【特許請求の範囲】
【請求項１】
ゴルフバッグに取り付け可能なゴルフクラブ用補助スタンドケースであって、ゴルフクラブを収納するための収納ケース部と、該収納ケース部を支えるためのスタンド部とよりなり、収納ケース部の後方の上部に上フック部が設けられ、該上フック部と同じ側にスタンド部が設けられ、スタンド部が、支持柱部と脚部とよりなり、支持柱部の下端部が収納ケース部の外側下端部に固定されており、支持柱部の上端部が収納ケース部に形成された貫通孔を通って収納ケースの内部に入り込み収納ケース部の内側上端部に固定されており、収納ケース部のスタンド部側に窪み部が設けられ、該窪み部に該スタンド部が収納される状態となっていることを特徴とするゴルフクラブ用補助スタンドケース。
【請求項２】
前記上フック部と反対側にグリップ部が設けられていることを特徴とする請求項１記載のゴルフクラブ用補助スタンドケース。
【請求項３】
前記収納ケース部の下端部に下フック部が設けられていることを特徴とする請求項１記載のゴルフクラブ用補助スタンドケース。
【請求項４】
前記上フック部が平板状に形成され、ゴルフバッグに掛止めされた状態で頭部カバーの取り付けに支障とならないようになっていることを特徴とする請求項１記載のゴルフクラブ用補助スタンドケース。
【請求項５】
前記スタンド部は、支持柱部と脚部の他に該脚部の閉方向への復帰力を与えるためのバネ幹とを備えており、該バネ幹の下端部を収納ケース部の下端より下方に突出させていることを特徴とする請求項１記載のゴルフクラブ用補助スタンドケース。
【請求項６】
前記下フック部が支持柱部の下端部に取り付けられていることを特徴とする請求項１記載のゴルフクラブ用補助スタンドケース。
【発明の詳細な説明】
【技術分野】
【０００１】
本発明はゴルフバッグに取り付け可能なゴルフクラブ用補助スタンドケースに関し、さらに詳しくは、ゴルフバッグに掛止めされた状態でも脚部が開くようなこともなくまたゴルファーが衣服等を汚すようなこともないゴルフクラブ用補助スタンドケースに関する。
【背景技術】
【０００２】
最近ゴルフバッグＢに取り付けることが可能なゴルフクラブ用補助スタンドケースが市場に提供されている。
ゴルフコースでは、グリーンの近くになると、パターの他にピッチング等のアプローチ用の短いゴルフクラブを使用する場面が多い。また、グリーン周りにガードバンカーがあるとサウンドウェッジを使用することもある。
【０００３】
そのため、ゴルファーはパター、ピッチング、サウンドウェッジ等の複数のゴルフクラブを手に持って、或いは抱えてグリーン周りを飛び回ることとなる。
しかし、ゴルフクラブは個別にバラバラで使用するために、ショットした後、その場に置き忘れてしまうケースも多い。
【０００４】
このようなことから、グリーン周りで使用するための持ち運びの便利な、少数本のクラブを収納できる軽いゴルフクラブ用のサブバッグが提供されている。
このゴルフクラブ用のサブバッグは、少数本（例えば、３〜４本）の短いクラブを収納でき比較的軽いものである。
【０００５】
例えば、特許文献１及び特許文献２に記載されたゴルフクラブ用のサブバッグは、少数本のクラブを入れて持ち運ぶことができ、或いはカート上に載せたゴルフバッグに引っ掛けておくことができるものである。
しかし、これらのゴルフクラブ用のサブバッグは、ゴルフクラブを選び出してショットする際は、寝かせて（すなわち横倒しして）グラウンドに置くものなので、それ自体を忘れてしまうこともある。
そのため、ゴルフクラブ用のサブバッグを起立状態にセットできるものが、開発されている。
【０００６】
特許文献３に記載されたゴルフクラブ用のサブバッグは、スタンドを備えており斜め方向に起立状態にセットできる。
その意味では、グリーン周りでも目立ち易く、置き忘れることはまずない。
しかし、このゴルフクラブ用のサブバッグは、カート上に載せたゴルフバッグに対して掛止めしておく状態では、スタンド側が、ゴルフバッグ側ではなく、ゴルファー側に向くこととなる。
【０００７】
そのため、スタンドの先端に付着した泥や土が、ゴルフバッグからゴルフクラブを取り出す操作の際、ゴルファーの衣服に付着することがある。
また、カートが移動すると、ゴルフクラブ用のサブバッグは、スタンドが外側に位置して、覆うものがないため振動やショックで開き出す危険がある。
また、ゴルフクラブ用のサブバッグを引っ掛けて取り付けたゴルフバッグは、カートが移動すると、サブバッグの下端にガタ付きや揺れが生じる。
またカートから降ろしてゴルフバッグを担いで動く際にも同様な欠点がある。
【先行技術文献】
【特許文献】
【０００８】
【特許文献１】意匠登録第１３８７３６１１号公報
【特許文献２】意匠登録第１４０２４３５号公報
【特許文献３】意匠登録第１３８７３６１２号公報
【発明の概要】
【発明が解決しようとする課題】
【０００９】
本発明は、上記事情に鑑みてなされたものであり、ゴルフバッグに取り付けた状態でも脚部が開いたり、またゴルファーの衣服等を汚すようなこともないゴルフクラブ用補助スタンドケースを目的とする。
【課題を解決するための手段】
【００１０】
本発明者らは、上記課題を解決するため鋭意検討したところ、意外にもスタンドと同じ側にゴルフバッグへの引掛け部分を設けることにより、上記課題を解決し得ることを見出し、この知見により本発明を完成するに到った。
【００１１】
すなわち、本発明は、（１）ゴルフバッグＢに取り付け可能なゴルフクラブ用補助スタンドケースＡであって、ゴルフクラブを収納するための収納ケース部１と、該収納ケース部１を支えるためのスタンド部２とよりなり、収納ケース部１の後方の上部に上フック部１１が設けられ、該上フック部１１と同じ側にスタンド部２が設けられており、スタンド部２が支持柱部２１と脚部２２とよりなり、支持柱部２１の下端部が収納ケース部１の外側下端部に固定されており、支持柱部２１の上端部が収納ケース部１に形成された貫通孔Ｈを通って収納ケースの内部に入り込み収納ケース部１の内側上端部に固定されており、収納ケース部１のスタンド部側に窪み部が設けられ、該窪み部１５に該スタンド部２が収納される状態となっているゴルフクラブ用補助スタンドケースＡに存する。
【００１３】
また、本発明は、（２）、前記上フック部１１と反対側にグリップ部１２が設けられている上記（１）記載のゴルフクラブ用補助スタンドケースＡに存する。
【００１４】
また、本発明は、（３）、前記収納ケース部１の下端部に下フック部１３が設けられている上記（１）記載のゴルフクラブ用補助スタンドケースＡに存する。
【００１５】
また、本発明は、（４）、前記上フック部１１が平板状に形成され、ゴルフバッグに掛止めされた状態で頭部カバーＢ１の取り付けに支障とならないようになっている上記（１）記載のゴルフクラブ用補助スタンドケースＡに存する。
【００１６】
また、本発明は、（５）、前記スタンド部２は、支持柱部２１と脚部２２の他に該脚部２２の閉方向への復帰力を与えるためのバネ幹２３とを備えており、該バネ幹２３の下端部を収納ケース部１の下端より下方に突出させている上記（１）記載のゴルフクラブ用補助スタンドケースＡに存する。
【００１７】
また、本発明は、（６）、前記下フック部１３が支持柱部２１の下端部に取り付けられている上記（１）記載のゴルフクラブ用補助スタンドケースＡに存する。
【００１８】
なお、本発明の目的に沿ったものであれば、上記（１）〜（６）を適宜組み合わせた構成も採用可能である。
【発明の効果】
【００１９】
本発明のゴルフバッグに取り付け可能なゴルフクラブ用補助スタンドケースＡは、ゴルフクラブを収納するための収納ケース部１と、該収納ケース部１を支えるためのスタンド部２とよりなり、収納ケース部１の後方の上部に上フック部が設けられ、該上フック部と同じ側にスタンド部２が設けられているので、ゴルフバッグに掛止された状態でも、スタンド部２がゴルフバッグ側に向き、手前側に向かないため、脚部自体が開くようなこともなくゴルファーが衣服等を汚すようなこともない。
【００２０】
スタンド部２が、支持柱部２１と脚部２２とよりなり、支持柱部２１の下端部が収納ケース部１の外側下端部に固定されており、支持柱部２１の上端部が収納ケース部１に形成された貫通孔を通って収納ケース部１の内側上端部に固定されているので、収納ケース部１に窪み部１５が形成されて、その部分にスタンド部２が略収納される。
前記下フック部が支持柱部２１の下端部に取り付けられているので、ゴルフバッグの傘受け部の孔Ｂ２にこの下フック部を掛止めし、ゴルフバッグへの取り付けを安定なものとすることができる。
【図面の簡単な説明】
【００２１】
【図１】図１は、本発明の実施形態におけるゴルフクラブ用補助スタンドケースＡの側面図を示し、（Ａ）はスタンド部が閉じた状態を、（Ｂ）は、スタンド部が開いた状態を示す。
【図２】図２は、本発明の実施形態におけるゴルフクラブ用補助スタンドケースＡを示し、（Ａ）は平面図、（Ｂ）は正面図、（Ｃ）は底面図、また（Ｄ）は背面図である。
【図３】図３は、本発明の実施形態におけるゴルフクラブ用補助スタンドケースＡをゴルフバッグに取り付けた状態を説明する図であり、（Ａ）は、頭部カバーを取り外した状態、（Ｂ）は、頭部カバーを取り付けた状態である。
【図４】図４は、本発明の実施形態におけるゴルフクラブ用補助スタンドケースＡをゴルフバッグに取り付けた状態を説明する図であり、（Ａ）は、上部の拡大図であり、（Ｂ）は、下部の拡大図である。
【発明を実施するための形態】
【００２２】
本発明の実施形態に係る、ゴルフクラブ用補助スタンドケースＡについて説明する。
ゴルフクラブ用補助スタンドケースＡは、ゴルフバッグの口枠に取り付け可能である。
そして、このゴルフクラブ用補助スタンドケースＡは、主としてゴルフクラブを収納するための収納ケース部１と、該収納ケース部１を支えるためのスタンド部２よりなる。
【００２３】
図１は、ゴルフクラブ用補助スタンドケースの側面図を示し、（Ａ）はスタンド部が閉じた状態を、（Ｂ）は、スタンド部２が開いた状態を示す。
【００２４】
図２は、本発明の実施形態におけるゴルフクラブ用補助スタンドケースを示し、（Ａ）は平面図、（Ｂ）は正面図、（Ｃ）は底面図、及び（Ｄ）背面図である。
【００２５】
図１（Ａ）のようにスタンド部２が開いた状態では、収納ケース部１は、傾斜状態に支持される。
収納ケース部１の材質としては編地や織地を使っており、ほぼ筒状に形成されているが、可撓性があるため変形が可能である。
収納ケース部１の後方の上部には上フック部１１が設けられており、スタンド部２はこの上フック部１１と同じ側に設けられている。
そのため、上フック部１１をゴルフバッグＢに掛止めしてゴルフクラブ用補助スタンドケースＡを取り付けた場合に、スタンド部２が必然的にゴルフバッグ側に位置し、手前側にこない。
【００２６】
このことは本発明のゴルフクラブ用補助スタンドケースＡの大きな特徴の一つである。
通常、ゴルファーはゴルフバッグＢにゴルフクラブ用補助スタンドケースＡを取り付けた状態でカート（運搬車）に積み込み、プレーを行う。
しかしゴルファーが、ゴルフバッグから或いはゴルフクラブ用補助スタンドケースＡからクラブを引き出す際、スタンド部２が、手前側に位置しないので、スタンド部２の汚れた脚部２２の泥等がゴルファーに付着するようなことは全くない。
【００２７】
またスタンド部２が収納ケース部１とゴルフバッグＢの間に挟み込まれるように位置するので、カートが移動する際、ガタ付きや揺れ等が生じてもスタンド部２の脚部２２が不用意に開く危険もない。
上述したように、収納ケース部１の上方には上フック部１１が設けられているが、薄板状でありゴルフバッグＢに掛止めした状態でも、頭部カバーＢ１をその上から被せて容易に取り付けることができる利点がある。
【００２８】
図３は、本発明の実施形態におけるゴルフクラブ用補助スタンドケースＡをゴルフバッグＢに取り付けた状態を説明する図であり、図３（Ａ）は、頭部カバーＢ1を取り外した状態、図３（Ｂ）は、頭部カバーＢ１を取り付けた状態である。
【００２９】
また図４は、本発明の実施形態におけるゴルフクラブ用補助スタンドケースＡをゴルフバッグＢに取り付けた状態を説明する図であり、図４（Ａ）は、上部の拡大図であり、図４（Ｂ）は、下部の拡大図である。
このように薄板状の上フック部１１はゴルフバッグＢの口枠に沿って密着状態となるので、頭部カバーＢ１を取り付けた場合、頭部カバーＢ１とゴルフバッグＢの口枠の間にうまく収まって邪魔にならない。
【００３０】
ところで、収納ケース部１の下端部に下フック部１３が設けられている。
一般に、ゴルフバッグＢの下方には、傘先受け部が備わっており、この傘受け部の孔Ｂ２に傘の先を差し込んで支持している。
下フック部１３は、この傘受け部の孔Ｂ２に引っ掛けて使用するもので、ゴルフバッグＢの下部がガタ付いたり不用意に揺れたりしないように固定するためのものである。
そのため、下フック部１３は、その先が傘受け部の孔Ｂ２に挿入できる細さとする。
【００３１】
スタンド部２は、支持柱部２１と脚部２２とを有し、支持柱部２１は腰のない可撓性のある収納ケース部１を支えるもので、収納ケース部１の上下、長さ方向に沿って取り付けられている。
また脚部２２は、支持柱部２１によって支持されている収納ケース部１を起立状態に支えるものである。
具体的には、脚部２２が外方に開くことで収納ケース部１は傾斜して起立状態となる。
なお、スタンド部２には、バネ幹２３が備わっており、このバネ幹２３により、脚部２２を開いた状態から閉じた状態に弾圧的に切り替えることができる。
そしてスタンド部２を下方に押し下げ、バネ幹２３の下端を地面に押し付けると脚部２２は簡単に反作用で開く構造であるが、これは、周知のものであるので、詳しい説明は省略する。
【００３２】
ところで支持柱部２１の下端部は収納ケース部１の外側下端部に固定されており、一方、支持柱部２１の上端部は収納ケース部１の内側上端部に固定されている。
詳しくは収納ケース部１の上端部には口枠１４が設けられており、支持柱部２１の上端部は、この口枠１４の内側上端部に固定されている。
収納ケース部１には、上端から一定距離下がった位置に貫通孔Ｈが形成されており、支持柱部２１はこの貫通孔Ｈを通って収納ケース部１の外部から内部に入り込み、口枠１４の内側上端部に固定されている。
【００３３】
このような収納ケース部１に対する支持柱部２１の取り付け構造であるので、可撓性を有する収納ケース部１は少し内部に窪んで窪み部１５が形成される。
この窪み部１５が、閉じたスタンド部２を収納するようになるため、スタンド部２が従来のように、収納ケース部１から突出するようなことはない。
そのため、ゴルフクラブ用補助スタンドケースＡをゴルフバッグＢに掛止して取り付けた場合にもゴルフバッグＢの側面にスタンド部２のみが突き当たるようなことはない。
【００３４】
一方、本発明のゴルフクラブ用補助スタンドケースＡは、収納ケース部１の上端から下方に一定距離離れた位置にグリップ部１２が設けられている。
このグリップ部１２を掴むことで、ゴルフクラブ用補助スタンドケースＡを斜めになってバランスの取れた状態で持ち運ぶことができる。
また収納ケース部１に中間位置には、上部に開放口を有するネット袋が設けられており、このネット袋１６にゴルフボールや手ぬぐい等を入れておくことができる。
以上、本発明を説明したが、本発明は実施の態様に限定されることなく、その目的に沿う限り変更が可能であることは言うまでもない。
【００３５】
例えば、上述した支持柱部２１、脚部２２の材質としては、金属或いは強度があればプラスチックのような軽いものも採用可能である。
また、下フック部１３は支持柱部２１自体の下方に取り付けてもよい。
収納ケース部１の断面は円形でも角形でもよく、上述したように、スタンド部２を受け入れる窪み部１５が形成されるものであればよい。
また、上フック部１１や下フック部１３はタッチフアスナーを有するベルトを介して交換自在にすることも可能である。
【産業上の利用可能性】
【００３６】
本発明のゴルフクラブ用補助スタンドケースＡは、ゴルフバッグに掛止された状態でも脚が開くようなこともなくゴルファーが衣服等を汚すようなこともない。
しかし、ゴルフクラブ用補助スタンドケースＡは、掛止めできるものであればゴルフバッグ以外のものにも使用することができる。
【符号の説明】
【００３７】
１  収納ケース部
１１  上フック部
１２  グリップ部
１３  下フック部
１４  口枠
１５  窪み部
１６  ネット袋部
２  スタンド部
２１  支持柱部
２２  脚部
２３  バネ幹
Ａ  ゴルフクラブ用補助スタンドケース
Ｂ  ゴルフバッグ
Ｂ１  頭部カバー
Ｂ２  傘受け部の孔
Ｈ  貫通孔
【図１】
0005903291.tif 000002
【図２】
0005903291.tif 000003
【図３】
0005903291.tif 000004
【図４】
0005903291.tif 000005